(57)【要約】      （修正有）【課題】市販の、切って販売してある食パンを、サンドイッチ等に使用する際に薄く切る事を容易に出来るようにした食パン切り用具を提供する。【解決手段】食パンを両面から厚さを決め固定するための挟み板を、外側の囲い側板３，４の両方の内面に挟み、板を入れ込む溝を食パンの厚さに応じた寸法で作り付け、囲い板３，４には食パンを切る際に使う刃物を通す隙間を作る、片方の挟み板には食パンを切る際に刃物との摩擦で型崩れを防止するための突起を作り付ける、長い食パンを切る際に安定させるための引き出し式の受け台６を作る。【選択図】図１
0003183042.tif 000002
【実用新案登録請求の範囲】
【請求項１】
市販の４枚切り５枚切り６枚切り更に３斤食パンを切る用具、更にパンを切る際に抵抗を少なくした専用包丁を対として、本体共々嵩張らないように折り畳みコンパクトに収納出来る様にした用具。
【考案の詳細な説明】
【技術分野】
【０００１】この考案は、市販している食パンの４枚切り５枚切り６枚きり等を半分の厚みに切る事を容易くする為の用具である、長い３斤パンおも４枚切り５枚切り６枚切り等の厚さに切る事も出来、専用パン切り包丁おも対として提供、場所を取らぬように折り畳みコンパクトに収納出来るようにした用具。
【背景技術】
【０００２】市販の食パンの４枚切り５枚切り６枚切りをサンドイッチ等に使用する時、半分の厚さに切るのは危険でもあり難しく、厚みを決めるための挟み板を移動するだけで切る厚みの調整が出来る、更にパンに接する面を最小限にした専用包丁を持って行う。
【考案の開示】
【考案が解決しようとする課題】
【０００３】其の為に次ぎの様な問題点が有った、
市販の食パンを薄く切る時刃物による危険を伴う、更に同じ厚みに切れなかった、本考案は以上の問題点を解決する為に成された物である。
【課題を解決する為の手段】
【０００４】この考案は、食パンを両面から厚さを決め固定するための挟み板を、外側の囲い側板の両方の内面に挟み板を入れ込む溝を食パンの厚さに応じた寸法で作り付け、囲い板には食パンを切る際に使う刃物を通す隙間を作る、片方の挟み板には食パンを切る際に刃物との摩擦で型崩れを防止するための突起を作り付ける、長い食パンを切る際に安定させるための引き出し式の受け台を作る。
【考案の効果】
【０００５】市販の食パンの４枚切り５枚切り６枚切り等の厚さの異なる物を更に各々の厚さの半分に切る事を目的とし、サンドイッチ等に使用する事が出来る、更に長い３斤食パンを挟み板の移動で４枚切り５枚切り６枚切りに切る事も出来る、又パンを薄く切る際の刃物による危険を最小限にして大凡同じ厚さに切る事が出来るようになった。
【考案を実施する為の最良の形態】
【０００６】        以下本考案の実施の形態についての説明。
（イ）折り畳み組み立てとする事でコンパクトに収納する事が出来場所を取らな              くなる、
（ロ）専用の包丁でパンを切る際のパンとの摩擦を最小限にして切り易くした。
【図面の簡単な説明】
【０００７】
【図１】  本考案食パン切り補助用具の斜視図
【図２】  本考案の平面図（上面図）
【図３】  本考案のＡ〜Ａ断面図
【図４】  本考案のＡ面図
【図５】  本考案のＡ面の囲い側板を折り畳んだ姿図
【図６】  本考案の平面図、囲い側板を折り畳み収納した上面図
【図７】  本考案のＢ面姿図
【図８】  本考案のＢ面の囲い側板を折り畳み収納した姿図
【図９】  本考案のＣ面姿図
【図１０】  本考案のＣ面の囲い側板を折り畳み収納した姿図
【図１１】  本考案のＤ面の囲い側板を折り畳み収納した姿図
【図１２】  本考案のＤ面姿図
【図１３】  本考案の本体平面Ａ面側からの引き出し台を出した状態での部分姿図
【図１４】  本考案の上面姿図
【図１５】  本考案のＣ側挟み板落とし受け溝部分拡大図
【図１６】  本考案のＡ側挟み板落とし受け溝部分拡大図
【図１７】  本考案の記号数字１７挟み板突起部分内側姿図
【図１８】  本考案のＥ〜Ｅ断面図
【図１９】  本考案のＢ面側面姿図
【図２０】  本考案の記号数字１８挟み板内側図
【図２１】  本考案のＦ〜Ｆ断面図
【図２２】  本考案のＢ面側面姿図
【図２３】  本考案のパン切り専用包丁上面姿図
【図２４】  本考案のパン切り専用包丁側面姿図
【図２５】  本考案のパン切り専用包丁の折り畳んだ状態の横面姿図
【図２６】  本考案のパン切り専用包丁の折り畳んだ状態の上面姿図
【図２７】  本考案のパン切り専用包丁の折り畳んだ状態の下面姿図
【図２８】  本考案のパン切り専用包丁の刃の部分の拡大断面図Ｇ〜Ｇ図
【符号の説明】
【０００８】１    本体部分天板
２    食パン切断時包丁差込開口部
３    挟み板受け側板
４    挟み板受け側板
５    側板止め座部分
６    引き出し台
７    側板折り畳み時における回転軸
８    挟み板収納口
９    側板を立てた時に内側に倒れるのを防止する為のマグネット
１０  食パンを受ける為の桟
１１  パン切り包丁収納口
１２  挟み板を落とし込む際の目安となる様に段差を付けた落とし口
１３  側板の補強部分
１４  引き出し台部分
１５  引き出し台引き出し口
１６  本体部分
１７  側板３に使用する挟み板
１８  側板４に使用する挟み板
１９  側板４に於ける挟み板落とし溝
２０  挟み板１７に於ける突起部分
２１  挟み板落とし羽板
２２  包丁部分
２３  本体切り傷防止用丸み
２４  折り畳み用回転軸
２５  伸ばした時の留め金
２６  柄の握り部分
２７  摩擦を少なくする為の凹み
【図１】
0003183042.tif 000003
【図２】
0003183042.tif 000004
【図３】
0003183042.tif 000005
【図４】
0003183042.tif 000006
【図５】
0003183042.tif 000007
【図６】
0003183042.tif 000008
【図７】
0003183042.tif 000009
【図８】
0003183042.tif 000010
【図９】
0003183042.tif 000011
【図１０】
0003183042.tif 000012
【図１１】
0003183042.tif 000013
【図１２】
0003183042.tif 000014
【図１３】
0003183042.tif 000015
【図１４】
0003183042.tif 000016
【図１５】
0003183042.tif 000017
【図１６】
0003183042.tif 000018
【図１７】
0003183042.tif 000019
【図１８】
0003183042.tif 000020
【図１９】
0003183042.tif 000021
【図２０】
0003183042.tif 000022
【図２１】
0003183042.tif 000023
【図２２】
0003183042.tif 000024
【図２３】
0003183042.tif 000025
【図２４】
0003183042.tif 000026
【図２５】
0003183042.tif 000027
【図２６】
0003183042.tif 000028
【図２７】
0003183042.tif 000029
【図２８】
0003183042.tif 000030
【手続補正書】
【提出日】平成25年1月31日(2013.1.31)
【手続補正１】
【補正対象書類名】実用新案登録請求の範囲
【補正対象項目名】全文
【補正方法】変更
【補正の内容】
【実用新案登録請求の範囲】
【請求項１】
食パンを載せる為と、挟み板と包丁を収納するのに箱型に作り、箱型の天板上面両側に食パンを挟むのに要する挟み板を落とし込み挿入する為の溝を付けた側板を、挟んだ食パンを切る為の包丁を通す開口部を開けた状態で、上面両側に折り畳み出来るようにして取り付けた、食パン切り補助用具。
【手続補正２】
【補正対象書類名】明細書
【補正対象項目名】全文
【補正方法】変更
【補正の内容】
【考案の詳細な説明】
【技術分野】
【０００１】この考案は、食パンの４枚切り５枚切り６枚きり等を半分の厚みに切る事を容易くする為の用具である、長い３斤パンおも４枚切り５枚切り６枚切り等の厚さに切る事も出来、切る食パンとの接する面を少なくした包丁で切り易くした、
【背景技術】
【０００２】４枚切り５枚切り６枚切りをサンドイッチ等に使用する時、半分の厚さに切るのは危険でもあり難しく、厚みを決めるための挟み板を移動するだけで切る厚みの調整が出来る、更にパンに接する面を少なくした包丁を持って行う、
【考案の開示】
【考案が解決しょうとする課題】
【０００３】其の為に次ぎの様な問題点が有った、食パンを薄く切る時刃物による危険を伴う、更に同じ厚みに切れなかった、本考案は以上の問題点を解決する為に成された物である、
【課題を解決する為の手段】
【０００４】この考案は、食パンを両面から厚さを決め固定するための挟み板を、外側の囲い側板の両方の内面に挟み板を入れ込む溝を食パンの厚さに応じた寸法で作り付け、囲い板には食パンを切る際に使う包丁を通す開口部を作る、片方の挟み板には食パンを切る際に刃物との摩擦で型崩れを防止するための突起を作り付ける、長い食パンを切る際に安定させるための引き出し式の受け台を作る、
【考案の効果】
【０００５】４枚切り５枚切り６枚切り等の厚さの異なる物を更に各々の厚さの半分に切る事を目的とし、サンドイッチ等に使用する事が出来る、更に長い３斤食パンを挟み板の移動で４枚切り５枚切り６枚切りに切る事も出来る、又パンを薄く切る際の刃物による危険を最小限にして大凡同じ厚さに切る事が出来るようになった、
【考案を実施する為の最良の形態】
【０００６】              以下本考案の実施の形態についての説明、（イ）挟み板の挿入箇所を容易に判別出来るようにするため各々の枚数において段差を付けた、（ロ）側板を起こした時内側に転倒しないようにマグネットをつけた、（ハ）折り畳み組み立てとする事でコンパクトに収納する事が出来場所を取らなくなる、（二）包丁でパンを切る時にパンとの接する面を最小限にして切り易くした、（ホ）長い食パンを切る時の引き出し式受台も作りつけた、
【図面の簡単な説明】
【０００７】
【図１】本考案食パン切り補助用具の斜視図
【図２】本考案の平面図（上面図）
【図３】本考案のＡ〜Ａ断面図
【図４】本考案のＡ面図
【図５】本考案のＡ面の囲い側板を折り畳んだ姿図
【図６】本考案の平面図、囲い側板を折り畳み収納した上面図
【図７】本考案のＢ面姿図
【図８】本考案のＢ面の囲い側板を折り畳み収納した姿図
【図９】本考案のＣ面姿図
【図１０】本考案のＣ面の囲い側板を折り畳み収納した姿図
【図１１】本考案のＤ面の囲い側板を折り畳み収納した姿図
【図１２】本考案のＤ面姿図
【図１３】本考案の本体平面Ａ面側からの引き出し台を出した状態での部分姿図
【図１４】本考案の上面姿図
【図１５】本考案のＣ側挟み板落とし受け溝部分拡大図
【図１６】本考案のＡ側挟み板落とし受け溝部分拡大図
【図１７】本考案の記号数字１７挟み板突起部分内側姿図
【図１８】本考案のＥ〜Ｅ断面図
【図１９】本考案のＢ面側面姿図
【図２０】本考案の記号数字１８挟み板内側図
【図２１】本考案のＦ〜Ｆ断面図
【図２２】本考案のＢ面側面姿図
【図２３】本考案のパン切り包丁上面姿図
【図２４】本考案のパン切り包丁側面姿図
【図２５】本考案のパン切り包丁の折り畳んだ状態の横面姿図
【図２６】本考案のパン切り包丁の折り畳んだ状態の上面姿図
【図２７】本考案のパン切り包丁の折り畳んだ状態の下面姿図
【図２８】本考案のパン切り包丁の刃の部分の拡大断面図Ｇ〜Ｇ図
【符号の説明】
【０００８】  １    箱部分天板  ２    食パンを切る時の包丁差込開口部  ３    挟み板受け側板  ４    挟み板受け側板  ５    側板止め座部分  ６    引き出し台  ７    側板折り畳み時における回転軸  ８    挟み板収納口  ９    側板を立てた時に内側に倒れるのを防止する為のマグネット  １０  食パンを受ける為の桟  １１  パン切り包丁収納口  １２  挟み板を落とし込む際の目安となる様に段差を付けた落とし口  １３  側板の補強部分  １４  引き出し台部分  １５  引き出し台引き出し口  １６  箱部分  １７  側板３に使用する挟み板  １８  側板４に使用する挟み板  １９  側板４に於ける挟み板落とし溝  ２０  挟み板１７に於ける突起部分  ２１  挟み板落とし羽板  ２２  包丁部分  ２３  本体切り傷防止用丸み  ２４  折り畳み用回転軸  ２５  伸ばした時の留め金  ２６  柄の握り部分  ２７  接する面を少なくする為の凹み